(57)【特許請求の範囲】
【請求項１】
用紙幅方向の片側に配置された給紙ローラと、
前記給紙ローラに用紙を押し付けて分離給送する分離パッドと、
前記分離パッドより用紙搬送上流側に配置され、前記給紙ローラ側を自由端として用紙幅方向の他側に回動支点を有し、積載した用紙に対し上昇又は下降の移動量を給紙ローラ側が大きく、回動支点側が小さくなるよう回動するホッパーと、
用紙セット時に用紙先端を揃える突当て面を有し、該突当て面の給紙ローラ側の面縁が用紙搬送路に接近かつ平行であると共に、該突当て面が前記ホッパーの下降時に給紙ローラ側を幅広で、回動支点側を幅狭に形成された当接部と、
前記ホッパーの側方に延びる基端を有し、前記当接部の突当て面とペーパーガイドとの境に、前記基端を支点として給紙ローラとの共働により用紙を給送する倒伏位置と該給紙ローラに干渉しない起立位置へ回動可能に設けられた紙戻し部材と、
前記紙戻し部材の起立状態で用紙先端が対向する面に配置され、前記分離パッドよりホッパーの回動支点側に設けられた荷崩れ防止部材と、を備え、
前記給紙ローラが用紙を給送しない状態になったとき、前記紙戻し部材を倒伏位置から起立位置に向けて回動させ、重送された用紙をホッパーに戻すことを特徴とする給紙装置。
【請求項２】
請求項１の記載において、分離パッドが紙戻し部材に設けられていることを特徴とする給紙装置。
【請求項３】
請求項１又は２の記載において、紙戻し部材を給紙ローラ側に回動させ、分離パッドを給紙ローラに押し付けるよう作用する付勢手段を備え、該給紙ローラの回転押付け力により紙戻し部材を付勢手段の付勢力に抗して倒伏位置へ回動させることを特徴とする給紙装置。
【請求項４】
請求項１〜３のいずれかの記載において、荷崩れ防止部材がコルク等の摩擦材から成ることを特徴とする給紙装置。
【請求項５】
用紙幅方向の片側に配置された給紙ローラと、
前記給紙ローラに用紙を押し付けて分離給送する分離パッドと、
前記分離パッドより用紙搬送上流側に配置され、前記給紙ローラ側を自由端として用紙幅方向の他側に回動支点を有し、積載した用紙に対し上昇又は下降の移動量を給紙ローラ側が大きく、回動支点側が小さくなるよう回動するホッパーと、
用紙セット時に用紙先端を揃える突当て面を有し、該突当て面の給紙ローラ側の面縁が用紙搬送路に接近かつ平行であると共に、該突当て面が前記ホッパーの下降時に給紙ローラ側を幅広で、回動支点側を幅狭に形成された当接部と、
前記ホッパーの側方に延びる基端を有し、前記当接部の突当て面とペーパーガイドとの境に、前記基端を支点として給紙ローラとの共働により用紙を給送する倒伏位置と該給紙ローラに干渉しない起立位置へ回動可能に設けられた紙戻し部材と、
前記紙戻し部材の起立状態で用紙先端が対向する面に配置され、前記分離パッドよりホッパーの回動支点側に設けられた荷崩れ防止部材と、
前記ホッパーの回動支点側かつ当接部の突当て面の面縁に近いペーパーガイド上に設けられ、用紙先端を支える面を有する第２の荷崩れ防止部と、を備え、
前記給紙ローラが用紙を給送しない状態になったとき、前記紙戻し部材を倒伏位置から起立位置に向けて回動させ、重送された用紙をホッパーに戻すことを特徴とする給紙装置。
【請求項６】
請求項５の記載において、第２の荷崩れ防止部の用紙先端を支える面は、ホッパーの回動支点側が幅広で、給紙ローラ側が幅狭になっていることを特徴とする給紙装置。
【請求項７】
請求項５又は６の記載において、第２の荷崩れ防止部の用紙先端を支える面は、紙戻し部材が倒伏位置に到達したときにホッパーの回動支点側の用紙先端が当接する位置に形成されていることを特徴とする給紙装置。
【請求項８】
請求項１〜４のいずれかの記載において、ホッパーの回動支点側かつ当接部の突当て面の面縁に近いペーパーガイド上に、用紙先端を支える面を有する第２の荷崩れ防止部が設けられていることを特徴とする給紙装置。
【請求項９】
請求項８の記載において、第２の荷崩れ防止部の用紙先端を支える面は、ホッパーの回動支点側が幅広で、給紙ローラ側が幅狭になっていることを特徴とする給紙装置。
【請求項１０】
請求項８又は９の記載において、第２の荷崩れ防止部の用紙先端を支える面は、紙戻し部材が倒伏位置に到達したときにホッパーの回動支点側の用紙先端が当接する位置に形成されていること特徴とする給紙装置。
【発明の詳細な説明】
【０００１】
【発明の属する技術分野】
本発明は、プリンタ等の記録装置に用いられ、ホッパーに積載されたシート状の用紙を給送する給紙装置に係り、特に用紙幅方向の片側に給紙ローラを設け、この給紙ローラ側を自由端として用紙幅方向の他側でかつ用紙搬送路近傍に回動支点を持つホッパへの用紙セット時および給紙時に荷崩れしないようにした給紙装置に関する。
【０００２】
【従来の技術】
記録装置に用いられる給紙装置は、用紙の幅方向に２つの給紙ローラを配置し、一つの給紙ローラは一方のサイドエッジ側に固定配置され、他方はエッジガイドに組み込まれ、用紙幅に合わせて移動可能な半固定に配置されている。ホッパーの基端は、用紙の進入方向に対し直角な軸に回動可能に取り付けられ、給紙ローラの回転に連動したカム機構によって用紙の幅方向の全体を同じ動作により上昇又は下降を行うよう構成されている。ホッパーに用紙をセットしたとき、用紙先端を揃える為に用紙先端の幅方向全体を突き当てる当接部が設けられている。この当接部によって用紙先端が揃えられた用紙をホッパーから１枚づつ分離して給送する為に分離パッドを設けた分離パッドホルダが回動可能に取り付けられている。
【０００３】
ホッパーの上昇により用紙を給紙ローラに当接させ、同時に分離パッドを給紙ローラに押し付けると、最上位の用紙が分離給送される。用紙が搬送ローラに到達しスキュー取りが終了すると、給紙ローラはホームポジションに回転し停止される。この間、用紙先端と記録ヘッドとの距離を一定にする頭出し動作が行われ、その後印刷が開始される。前記給紙ローラがホームポジションに停止された状態では給紙ローラと分離パッドとの間に隙間が形成されるが、印刷中の用紙の一部が存在している。このとき重送された用紙が隙間に入り込み、場合によっては２以上重なって送られた用紙も印刷中の用紙に共連れされて給送されることもある。このような不具合の対策として、常時分離パッドにアイドルローラが押し当てられている。給紙ローラと分離パッドの間に印刷中の用紙があるとき、この用紙をアイドルローラで分離パッドに押し当てることで、重送した用紙の進入を防止している。進入を阻止された用紙は、印刷終了後に紙戻しレバーを作動させ、ホッパーに押し戻される。
【０００４】
【発明が解決しようとする課題】
従来の給紙装置では、用紙幅に合わせて移動する給紙ローラを備えているので、部品点数が多く、構造も複雑になっていた。また紙戻し動作は、印刷後に行われていたので、紙戻し終了後でないと次の給紙動作を開始させることができないから前の用紙の印刷終了から次の用紙の印刷開始までの時間（スループット）が長くなる。更に、印刷中の用紙はアイドルローラに押し当てられているため、用紙との接触負荷が生じ、モータ駆動系の負荷となるなどの問題があった。
本発明の目的は、部品点数を減らし、構造を簡素化してコスト低減を図ると共に、ホッパーから用紙搬送路への用紙の直進性を向上させた給紙装置を提供することにある。
また本発明の他の目的は、印刷中に紙戻し動作を行えるようにした給紙装置を提供することにある。
【０００５】
【課題を解決するための手段】
請求項１の発明に係る給紙装置は、用紙幅方向の片側に配置された給紙ローラと、給紙ローラに用紙を押し付けて分離給送する分離パッドと、分離パッドより用紙搬送上流側に配置され、給紙ローラ側を自由端として用紙幅方向の他側に回動支点を有し、積載した用紙に対し上昇又は下降の移動量を給紙ローラ側が大きく、回動支点側が小さくなるよう回動するホッパーと、用紙セット時に用紙先端を揃える突当て面を有し、該突当て面の給紙ローラ側の面縁が用紙搬送路に接近かつ平行であると共に、該突当て面が前記ホッパーの下降時に給紙ローラ側を幅広で、回動支点側を幅狭に形成された当接部と、ホッパーの側方に延びる基端を有し、当接部の突当て面とペーパーガイドとの境に、前記基端を支点として給紙ローラとの共働により用紙を給送する倒伏位置と該給紙ローラに干渉しない起立位置へ回動可能に設けられた紙戻し部材と、紙戻し部材の起立状態で用紙先端が対向する面に配置され、分離パッドよりホッパーの回動支点側に設けられた荷崩れ防止部材とを備え、給紙ローラが用紙を給送しない状態になったとき、紙戻し部材を倒伏位置から起立位置に向けて回動させ、重送された用紙をホッパーに戻すことを特徴とする。
請求項１の発明によれば、用紙幅方向の片側に配置された給紙ローラ側を自由端として用紙幅方向の他側に回動支点を持つホッパーを備えた構造にすることで部品点数の低減が図れる。また、給紙時に当接部の突当て面からはみ出した用紙先端の用紙搬送方向へずれ込む動きを荷崩れ防止部材で規制することで、ホッパーの回動支点側で用紙先端が当接部からはみ出して浮いた状態になっていても用紙搬送路に真っ直ぐ進入し安定した給送を行うことができる。
【０００６】
請求項２の発明は、請求項１の記載において、分離パッドが紙戻し部材に設けられていることを特徴とする。
請求項２の発明によれば、紙戻し部材に分離パッドを取り付けたので、従来のように分離パッドホルダと紙戻しレバーとを別々に構成する場合と比べて部品点数を減らすことができ、構造の簡素化によりコスト低減が図れる。
【０００７】
請求項３の発明は、請求項１又は２の記載において、紙戻し部材を給紙ローラ側に回動させ、分離パッドを給紙ローラに押し付けるよう作用する付勢手段を備え、該給紙ローラの回転押付け力により紙戻し部材を付勢手段の付勢力に抗して倒伏位置へ回動させることを特徴とする。
請求項３の発明によれば、紙戻し部材の倒伏位置への回動が給紙ローラの回転押付け力によって行われるので、給紙ローラに対し紙戻し部材が常に当接され、紙戻し部材の用紙の押え付けおよび紙戻しが確実になる。
【０００８】
請求項４の発明は、請求項１〜３のいずれかの記載において、荷崩れ防止部材がコルク等の摩擦材から成ることを特徴とする。
請求項４の発明によれば、荷崩れ防止部材を摩擦材にすることにより、用紙先端がスリップすることなく当接状態が確実に保持されるので、荷崩れ防止効果が高められる。
【０００９】
請求項５の発明に係る給紙装置は、用紙幅方向の片側に配置された給紙ローラと、給紙ローラに用紙を押し付けて分離給送する分離パッドと、分離パッドより用紙搬送上流側に配置され、給紙ローラ側を自由端として用紙幅方向の他側に回動支点を有し、積載した用紙に対し上昇又は下降の移動量を給紙ローラ側が大きく、回動支点側が小さくなるよう回動するホッパーと、用紙セット時に用紙先端を揃える突当て面を有し、該突当て面の給紙ローラ側の面縁が用紙搬送路に接近かつ平行であると共に、該突当て面が前記ホッパーの下降時に給紙ローラ側を幅広で、回動支点側を幅狭に形成された当接部と、ホッパーの側方に延びる基端を有し、当接部の突当て面とペーパーガイドとの境に、前記基端を支点として給紙ローラとの共働により用紙を給送する倒伏位置と該給紙ローラに干渉しない起立位置へ回動可能に設けられた紙戻し部材と、紙戻し部材の起立状態で用紙先端が対向する面に配置され、分離パッドよりホッパーの回動支点側に設けられた荷崩れ防止部材と、ホッパーの回動支点側かつ当接部の突当て面の面縁に近いペーパーガイド上に設けられ、用紙先端を支える面を有する第２の荷崩れ防止部とを備え、給紙ローラが用紙を給送しない状態になったとき、紙戻し部材を倒伏位置から起立位置に向けて回動させ、重送された用紙をホッパーに戻すことを特徴とする。
請求項５の発明によれば、用紙幅方向の片側に配置された給紙ローラ側を自由端として用紙幅方向の他側に回動支点を持つホッパーを備えた構造にすることで部品点数の低減が図れる。また、用紙セット時には、ホッパーの回動支点側において、用紙先端が当接部から外れて浮いた状態になる為、セット状態が悪いと用紙搬送路に入り込もうとする用紙先端を第２の荷崩れ防止部によって支えることで正しい用紙セットができる。一方、給紙時には、当接部の突当て面からはみ出した用紙先端が用紙搬送方向へずれ込む動きを荷崩れ防止部材で規制するので、ホッパーの回動支点側で用紙先端が当接部から外れて浮いた状態になっていても用紙搬送路へ真っ直ぐ進入し安定した給送を行うことができる。
【００１０】
請求項６の発明は、請求項５の記載において、第２の荷崩れ防止部の用紙先端を支える面は、ホッパーの回動支点側が幅広で、給紙ローラ側が幅狭になっていることを特徴とする。
請求項６の発明によれば、給紙時、給紙ローラによる用紙の拘束はホッパーの回動支点から給紙ローラにかけて大きくなるため、特にＯＨＰ用紙などの腰の強い用紙の場合、第２の荷崩れ防止部に引掛かり易くなる。しかし、用紙先端を支える面を給紙ローラ側で幅狭にすることで、用紙が局所において給紙ローラに拘束されていても第２の荷崩れ防止部をスムーズに乗り越えて確実に給送される。
【００１１】
請求項７の発明は、請求項５又は６の記載において、第２の荷崩れ防止部の用紙先端を支える面は、紙戻し部材が倒伏位置に到達したときにホッパーの回動支点側の用紙先端が当接する位置に形成されていることを特徴とする特徴とする。
請求項７の発明によれば、紙戻し部材が倒伏位置に到達すると給紙ローラ側の用紙に対する拘束が増す同時に、ホッパーの回動支点側の用紙先端を第２の荷崩れ防止部で支えることで、スキューすることなく真っ直ぐに用紙搬送路に進入される。
【００１２】
請求項８の発明は、請求項１〜４のいずれかの記載において、ホッパーの回動支点側かつ当接部の突当て面の面縁に近いペーパーガイド上に、用紙先端を支える面を有する第２の荷崩れ防止部が設けられていることを特徴とする。
請求項８の発明によれば、紙戻し部材が倒伏位置に回動すると、ホッパーの回動支点側において、当接部からはみ出して浮いた状態になっている用紙先端が用紙搬送方向へずれ込ませる動きを第２の荷崩れ防止部により規制することで、一層安定した給紙が行われるようになる。
【００１３】
請求項９の発明は、請求項８の記載において、第２の荷崩れ防止部の用紙先端を支える面は、ホッパーの回動支点側が幅広で、給紙ローラ側が幅狭になっていることを特徴とする。
請求項９の発明によれば、用紙先端を支える面を給紙ローラ側で幅狭にすることで、用紙が局所において給紙ローラに拘束されていても第２の荷崩れ防止部をスムーズに乗り越えて確実に給送される。
【００１４】
請求項１０の発明は、請求項８又は９の記載において、第２の荷崩れ防止部の用紙先端を支える面は、紙戻し部材が倒伏位置に到達したときにホッパーの回動支点側の用紙先端が当接する位置に形成されていること特徴とする。
請求項１０の発明によれば、紙戻し部材が倒伏位置に到達すると給紙ローラ側の用紙に対する拘束が増す同時に、ホッパーの回動支点側の用紙先端を第２の荷崩れ防止部で支えることで、スキューすることなく真っ直ぐに用紙搬送路に進入される。
【００１５】
【発明の実施の形態】
本願発明の実施の形態を説明する。図１は本発明に係る給紙装置を適用した記録装置の横断面図である。
記録装置１は、給紙ローラ２の回転によりホッパー３に積載された複数枚の用紙Ｐを分離パッド４で給紙ローラ２に押付けて１枚つづ分離し、ペーパーガイド４９に沿わせて搬送ローラ６に給送し、スキュー取りした後、印字タイミングに合わせて記録領域へ送り、記録ヘッド７を搭載したキャリッジ８の副走査方向の往復運動により印字を行った後に排出ローラ９にて排出する。
【００１６】
記録装置１のハウジング１０にはペーパーサポート２１を取り付け、このペーパーサポート２１に支えられた用紙Ｐの側縁を規制する為のエッジガイド２２がハウジング１０に摺動可能に設けられている。エッジガイド２２と給紙ローラ２との間にはホッパー３が回動可能に設けられており、このホッパー３を上昇させたとき分離パッド４が最上位の用紙を給紙ローラ２に押し付けて分離し給送する。
【００１７】
給紙装置２０は、給紙ローラ２、ローラ駆動ギア３５などをフレーム３１に組込んで一体化したユニット（Ａ）３０と、ホッパー３、分離パット４を有する紙戻し部材４２をフレーム４１に組込んで一体化したユニット（Ｂ）４０とを含み、ユニット（Ａ）３０はキャリッジ１０とを仕切るフレーム１３の背面に固定され、ユニット（Ｂ）４０は断面山形のフレーム４１の裾部分が搬送ローラ６と排出ローラ９を結ぶ用紙搬送経路の略延長線上になるようメインフレーム１２に取り付けられている。これらユニット化により記録装置への組立て工数を減らすと共に、組み付け後のユニットの調整を少なくすることができる。
【００１８】
ユニット（Ａ）及びユニット（Ｂ）を更に詳しく説明する。図２はユニット（Ａ）の平面図、図３は図２のＩ−Ｉ矢視の側面図、図４はユニット（Ｂ）の平面図、図５は図４のＩＩ−ＩＩ矢視の側面図、図６は図４のＩＩＩ−ＩＩＩ断面による紙戻し部材の作動を示す説明図、図７は紙戻し部材の平面図、図８は図７のＩＶ−ＩＶ矢視の側面図、図９は図７のＶ−Ｖ矢視の側面図、図１０はユニット（Ａ）とユニット（Ｂ）の組付け時の斜視図である。
【００１９】
図２において、ユニット（Ａ）３０はローラホルダ３１の軸受け部３１ａにローラ軸３２が回転可能に支持され、このローラ軸３２には給紙ローラ２が設けられている。ローラ軸３２には、ホッパー３の上昇又は下降を操作するホッパーカム機構を構成するホッパー上下用カム３４及び回転駆動する為の伝達ギヤ３５が設けられている。ホッパー上下用カム３４の側面には、後述の紙戻し部材４２の倒伏動作における初期傾倒動作を行う小カム３６が設けられている。伝達ギヤ３５は、図示を省略した給紙モータの駆動ギヤに中間伝達ギヤを介して連係されている。
【００２０】
給紙ローラ２は、図３に示すように円弧部分２ａと平坦部分２ｃからなり、円弧部分２ａには用紙を給送する為に摩擦材が取り付けられている。円弧部分２ａは、平坦部分２ｃに出張った円弧部分２ｂを持せて全体の円弧長を大きくしている。円弧部分２ｂは、ホッパー３の用紙積載量が変化しても搬送ローラ６まで用紙を確実に給送するよう作用する。ホッパー３に１枚の用紙がある場合は、ホッパー３を下限位置から上昇させ、用紙を給紙ローラ２へ当接させるまでの時間が最も長くなる。つまり、給紙ローラ２は用紙の当接までの間に所定角回転するので、円弧部分２ｂの長さは用紙の当接位置からの給送で搬送ローラ６へ到達するよう設定される。このように給紙ローラ２の平坦部分２ｃ側に出張った円弧部分２ｂを設けることで、給紙ローラ２を大径にすることなく、全体の円弧部分２ａを長くすることができ、装置の小型化が図れる。符号３７は、記録ヘッド７に印字信号を伝送するフラットケーブル３８を保持する為にフレーム３１に設けられたフラットケーブル係止部（図１参照）である。
【００２１】
ユニット（Ｂ）４０は、記録装置１の幅方向に延びた断面山形のフレーム４１の前方傾斜面をペーパーガイド４９にし、後方傾斜面には用紙セット時に用紙先端を当接させ揃える当接部の突当て面４１ｃを形成しており、ここにホッパー３が配置されている。フレーム４１の頂上には稜線部分４１ｂ（当接部の突当て面とペーパーガイドの境）に沿って紙戻し部材４２が配置され、その基端が稜線部分４１ｂに回動可能に設けられている。ホッパー３は、記録装置１の幅方向の一端を支点４３としてフレーム４１の傾斜面に沿って回動可能に取り付けられており、他端はユニット（Ａ）３０側に位置し、ホッパーエッジガイド３ａが設けられ、その上端面はホッパー上下用カム３４が作用するホッパーカムフォロア３ｃを形成している。ホッパーエッジガイド３ａから外方へ延びた突出部分３ｂが形成されており、この突出部分３ｂがフレーム４１から立設されたホッパーガイド４１ａに嵌入され、ホッパー３の他端の動きを上昇又は下降方向のみに規制している。
【００２２】
ホッパー３の回動支点４３は、その近傍のホッパー面が稜線部分４１ｂにほぼ一致するように設けられており、用紙セット時に用紙先端がホッパー３の回動支点４３側のフレーム４１に引掛かるのを防止している。また、ホッパー３の他端近傍の背面には、フレーム４１との間にホッパーバネ４４が介装され、ホッパー３を傾斜面の頂き方向に付勢している。ホッパー３の面には、分離パッド４の位置に合わせて高摩擦材のシート４５が貼付けられている。
【００２３】
紙戻し部材４２は、軸受け構造に形成された基端４２ｂをフレーム４１の軸部に嵌め込むことによって、回動可能に取り付けられている。紙戻し部材４２の表面４２ｃには、離間して配置された分離パッド４と荷崩れ防止部材５を有する。分離パッド４は、高摩擦材からなり、一方荷崩れ防止部材５はコルク等で形成されたシート状の摩擦材が用いられている。
【００２４】
ホッパー３のエッジガイド３ａ側には、紙戻し部材４２の初期傾倒を行う為のカムフォロア４２ａが設けられており、このカムフォロア４２ａにはホッパー上下用カム３４の側面に設けられた小カム３６が作用する。ここで、小カム３６とカムフォロア４２ａは、紙戻し部材４２を給紙ローラ２の給送方向への回転に連動させて起立位置から倒伏位置に向けて所定角を回動させる傾動手段を構成している。
基端４２ｂとは反対側の自由端は、分離パッド４の幅を除く部分に表面４２ｃから斜め上方に僅かに延びた土手部４２ｄが形成されており、この土手部４２ｄは紙戻し時に用紙先端を確実に捉えてホッパー３へ押し戻すよう作用する。
【００２５】
ペーパーガイド４９には、紙戻し部材４２と略同形の切欠き部４６が形成されており、この切欠き部４６は、紙戻し部材４２が起立状態（図６（１）の状態）から紙戻し部材用バネ４７の付勢力に抗して回動し倒伏（図６（２）の状態）したときに覆われ、ペーパーガイド４９に面一になる。紙戻し部材用バネ４７は、例えばコイルスプリングで構成されており、フレーム４１の裏側に配設されている。紙戻し部材用バネ４７の一端は、紙戻し部材４２の裏面に、他端はフレーム４１にそれぞれ係止され、紙戻し部材４２を起立（図５の状態）させるよう付勢している。
【００２６】
紙戻し部材４２の起立は、ほぼ垂直に立ち上がっており、セット時の用紙が用紙搬送路に不用意に進入するのを阻止する。この起立状態では、給紙ローラ２のローラ面の回転軌跡外に紙戻し部材４２があって回動力を与えることができない。そこで、紙戻し部材４２に回動力を作用させる部分を給紙ローラ２のローラ面の回転軌跡内に入れる為、給紙動作の給紙ローラ２の回転初期において、小カム３６とカムフォロア４２ａにより給紙ローラ２の回転に連動して紙戻し部材４２を所定角の初期回動させる。その後、給紙ローラ２の回転押付け力が紙戻し部材４２に直接作用し、回動させる。これにより紙戻し部材４２を無理なく円滑に回動させることができる。
ホッパー３の回動支点側には、稜線部分４１ｂに近いペーパーガイド４９上に第２の荷崩れ防止部４８が形成されており、この第２の荷崩れ防止部４８はホッパー３の回動支点４３側が幅広で、給紙ローラ２に向かって幅狭になる上視三角形の当接面を持っており、これにより積載した用紙の荷崩れが防止される。
【００２７】
図１１は分離パッドと紙戻し部材を独立して構成した他の実施例を示すもので、図１１（１）は紙戻し部材の起立状態を示す斜視図、図１１（２）は紙戻し部材の倒伏状態を示す斜視図である。分離パッド４は、一端をメインフレーム１２に回動可能に支持された分離パッドホルダ５１に取り付けられており、この分離パッドホルダ５１が分離パッド用バネ５２により給紙ローラ２側に付勢されている。紙戻し部材４２は、分離パッド４に対向した部分を切欠き、分離パッド４よりホッパー３の回動支点４３側へ離れた位置に荷崩れ防止部材５が貼り付けられている。
【００２８】
次にホッパー動作について説明する。図１２は用紙セット状態のホッパーの側面図、図１３は図１２の矢印方向から見たホッパー下降時を示す図、図１４は図１２の矢印方向から見たホッパー上昇時を示す図である。
給紙ローラ２のホームポジョンにあるとき、紙戻し部材４２は紙戻し部材用バネ４７により起立位置に保持されている。ホッパー３は、給紙ローラ２がホームポジョンに至る間に、ホッパーカム３４により回動支点４３を中心として、ホッパーバネ４４の付勢力に抗して回動されており、図示の位置（ホッパー下降状態）に維持されている。ホッパー下降時に複数枚の用紙Ｐをセットすると、用紙の下方が紙戻し部材４２によって用紙搬送路への進入を阻止されると共に、用紙先端がフレーム４１の傾斜した当接面４１ｃに突き当たり揃えられる。ホッパー３の回動支点４３側では、当接面４１ｃが複数枚の用紙の厚み分だけない為、図１２に示すように当接面４１ｃからペーパーガイド４９側にはみ出し浮いた状態になる。第２の荷崩れ防止部４８は、用紙セット時において、当接面４１ｃからペーパーガイド４９側へはみ出した用紙先端が給紙ローラ側の用紙先端より先に用紙搬送路へ進入する動き（ずれ込み現象）を規制するので、正しい用紙セットが行われる。
【００２９】
給紙がスタートすると、図１４に示す位置にホッパー３が上昇し、給紙ローラ２に用紙を押し付ける。このとき、当接面４１ｃからペーパーガイド４９側にはみ出して浮いた状態の用紙がホッパー下降時により多くなるが、紙戻し部材４２の荷崩れ防止部材５が用紙先端を支えられることで、ホッパー３の回動支点側で起こる用紙先端のずれ込み現象が抑えられる。
【００３０】
最上位の用紙が給送されるとき、給紙ローラ２側の送り込みによって回動支点側の用紙先端も進入を開始する。このとき第２の荷崩れ防止部４９の給紙ローラ側が幅狭になっているため、用紙先端が引っ掛かることなく、スムーズに乗り越えられる。特に、ＯＨＰ用紙などの腰の強い用紙の場合に好ましい効果が得られる。また、紙戻し部材４２は、その倒伏位置でペーパーガイド４９に面一となり、荷崩れ防止部材５によって用紙幅方向のほぼ中間位置の用紙先端が拘束される為、ホッパー３の回動支点側で起こる用紙先端のずれ込み現象が抑えられる。これにより用紙は、用紙搬送路に対し真っ直ぐに進入する。
【００３１】
次に給紙動作を説明する。図１５〜図２７は給紙動作の流れを示す説明図である。複数枚の用紙Ｐをペーパーサポート２１にセットする。ホームポジションにある給紙ローラ２の平坦部分はフレーム４１のペーパーガイド４９の面にほぼ平行であり、紙戻し部材４２は起立して給紙ローラ２との間で干渉しない状態となっている。紙戻し部材４２の起立時は、給紙ローラ２とホッパー３との間の用紙搬送路を遮る位置にあって、用紙セット時に用紙の先端を規制することで、用紙搬送路に進入するを阻止する。一方、ホッパー上下用カム３４により、ホッパー３が下限位置に押し下げられている（図１５の状態）。給紙スタートにより給紙ローラ２が回転すると、先ず小カム３６が紙戻し部材４２のカムフォロア４２ａに作用して紙戻し部材４２を僅かに傾けて倒伏の初期動作が行われる（図１６の状態）。紙戻し部材４２が所定角傾けられた後に、給紙ローラ２が紙戻し部材４２の表面に当たって、そのときの回転押付け力により紙戻し部材用バネ４７の付勢に抗して紙戻し部材４２を倒伏位置に向けて回動させる。この間、ホッパー上下用カム３４がホッパーカムフォロア３ｃに作用し、ホッパー３を下限位置に維持する（図１７の状態）。紙戻し部材４２が倒伏位置に達し（図１８の状態）、その後ホッパー上下用カム３４によるホッパー３の下限位置の維持が解かれ、ホッパーバネ４４によってホッパー３が上昇し、最上位の用紙を給紙ローラ２に押し付ける（図１９の状態）。給紙ローラ２の回転により最上位の用紙の給送が始まる（図２０の状態）。なお、図中、上向き矢印により用紙先端の位置を示す。
【００３２】
用紙先端が搬送ローラ６に到達する前に、ホッパー上下用カム３４がホッパーカムフォロア３ｃに作用し、ホッパー３を図１８に示す下降直前の位置から下降を開始する（図２２は下降途中の状態）。ホッパー３が下限位置に到達し（図２３）、その後紙戻し部材４２の起立動作が紙戻し部材用バネ４７のバネ力で始まる（図２４は起立直前の状態）。この間において、用紙先端は搬送ローラ６に到達し、スキュー取り及び頭出し動作が行われる。
【００３３】
引続き、紙戻し部材用バネ４７のバネ力により紙戻し部材４２の起立が完了する。この起立する為の回動中に、先の動作において最上位の用紙Ｐに共連れし給紙ローラ２と紙戻し部材４２の間にくさび効果によって入り込んだ重送の用紙Ｐ１の先端を捉え、ホッパー３内に押して収容する紙戻しが行われる（図２５は紙戻し完了時、図２６は紙戻し完了後の給紙ローラ２のホームホジションへの回転途中の状態）。給紙ローラ２がホームホジションに戻る間に、用紙Ｐへ印刷が始まる（図２７の状態）。
【００３４】
【発明の効果】
本発明によれば、用紙幅方向の片側に配置された給紙ローラ側を自由端として用紙幅方向の他側に回動支点を持つホッパーを備えた構造にすることで部品点数の低減が図れる。また、分離パッドよりホッパーの回動支点側に荷崩れ防止部材を設けたことにより、ホッパーの回動支点側で用紙先端が当接部からはみ出して浮いた状態になっていても用紙搬送路に真っ直ぐ進入し安定した給送を行うことができる。
また、第２の荷崩れ防止部をホッパーの回動支点に近いペーパーガイド上に設けたことにより、用紙セット状態が悪い場合にはホッパーの回動支点側において用紙搬送路に入り込もうとする用紙先端を第２の荷崩れ防止部によって支えることで正しい用紙セットができる。
【図面の簡単な説明】
【図１】本発明に係る給紙装置を適用した記録装置の横断面図である。
【図２】ユニット（Ａ）の平面図である。
【図３】図２のＩ−Ｉ矢視の側面図である。
【図４】ユニット（Ｂ）の平面図である。
【図５】図４のＩＩ−ＩＩ矢視の側面図である。
【図６】図４のＩＩＩ−ＩＩＩ断面による紙戻し部材の作動を示す説明図である。
【図７】紙戻し部材の平面図である。
【図８】図７のＩＶ−ＩＶ矢視の側面図である。
【図９】図７のＶ−Ｖ矢視の側面図である。
【図１０】ユニット（Ａ）とユニット（Ｂ）の組付け時の斜視図である。
【図１１】本発明の他の実施例を示すもので、図（１）は紙戻し部材の起立状態を示す斜視図、図（２）は紙戻し部材の倒伏状態を示す斜視図である。
【図１２】用紙セット状態のホッパーの側面図である。
【図１３】図１２の矢印方向から見たホッパー下降時を示す図である。
【図１４】図１２の矢印方向から見たホッパー上昇時を示す図である。
【図１５】給紙ローラがホームポジションのときのホッパー、紙戻し部材の関係を示す図である。
【図１６】小カムにて紙戻し部材を倒し始めを示す図である。
【図１７】給紙ローラが分離パッドに当接した状態を示す図である。
【図１８】紙戻し部材の倒伏位置を示す図である。
【図１９】ホッパーが上昇した直後を示す図である。
【図２０】給紙中を示す図である。
【図２１】ホッパーが下降を始める直前を示す図である。
【図２２】ホッパーの下降途中を示す図である。
【図２３】ホッパーが下限に到達した状態を示す図である。
【図２４】紙戻し部材が起立動作を開始する直前を示す図である。
【図２５】紙戻し部材が起立位置に達し紙戻し完了を示す図である。
【図２６】紙戻し完了後の給紙ローラの回転を示す図である。
【図２７】給紙ローラがホームポジションに戻った状態を示す図である。
【符号の説明】
１    記録装置
２    給紙ローラ
３    ホッパー
３ｃ  ホッパーカムフォロア
４    分離パッド
５    荷崩れ防止部材
６    搬送ローラ
７    記録ヘッド
８    キャリッジ
９    排出ローラ
１０  ハウジング
１２  メインフレーム
２０  給紙装置
２１  ペーパーサポート
２２  エッジガイド
３０  ユニット（Ａ）
３４  ホッパーカム
３６  小カム
４０  ユニット（Ｂ）
４２  紙戻し部材
４２ａ  カムフォロア
４２ｅ  溝カム
４８  第２の荷崩れ防止部
４９    ペーパーガイド
【図１】
0003560230.tif 000002
【図２】
0003560230.tif 000003
【図３】
0003560230.tif 000004
【図４】
0003560230.tif 000005
【図５】
0003560230.tif 000006
【図６】
0003560230.tif 000007
【図７】
0003560230.tif 000008
【図８】
0003560230.tif 000009
【図９】
0003560230.tif 000010
【図１０】
0003560230.tif 000011
【図１１】
0003560230.tif 000012
【図１２】
0003560230.tif 000013
【図１３】
0003560230.tif 000014
【図１４】
0003560230.tif 000015
【図１５】
0003560230.tif 000016
【図１６】
0003560230.tif 000017
【図１７】
0003560230.tif 000018
【図１８】
0003560230.tif 000019
【図１９】
0003560230.tif 000020
【図２０】
0003560230.tif 000021
【図２１】
0003560230.tif 000022
【図２２】
0003560230.tif 000023
【図２３】
0003560230.tif 000024
【図２４】
0003560230.tif 000025
【図２５】
0003560230.tif 000026
【図２６】
0003560230.tif 000027
【図２７】
0003560230.tif 000028